(57)【要約】【課題】調整ロープのない簡単な構造で、スクリーンが随所に停止できる遮光装置を提供する。【解決手段】スクリーン巻取り器11に、スクリーン111 に対し常に巻き戻し方向の付勢力を付与する付勢手段が付設される遮光装置において、スクリーン111 の先端部両側には、レール12に摺動、案内されるスライド13が保持されると共に、その各スライド13とレール12との間に、各スライド13を前記付勢力に抗して任意の位置にロックし得るロック機構Ｌが設けられ、そのロック機構Ｌは、スクリーン先端部に前記付勢力と対抗する操作入力が作用した状態では自動的にロック解除されてスクリーンの引出し又は巻き戻し操作を可能とし、またスクリーン先端部に前記操作入力が作用していない状態では前記付勢力により自動的にロック状態となってスクリーンを任意の引出し位置に保持可能である。【選択図】図５
2009280043.tif 000002
【特許請求の範囲】
【請求項１】
窓から入る光を遮るスクリーンと、窓の周辺に固定されてスクリーンを任意に引出し或いは巻き戻し可能に巻装したスクリーン巻取り器と、そのスクリーン巻取り器から引き出されたスクリーンを両側から保持しながら、所定の展開状態になるまで案内できるように窓の両側に配置される一対のレールとを備えてなる遮光装置であって、
スクリーン巻取り器には、スクリーンに対し常に巻き戻し方向の付勢力を付与する付勢手段が付設されるものにおいて、
前記スクリーンの先端部両側には、前記一対のレールにそれぞれ摺動、案内される一対のスライドが保持されると共に、その各スライドとこれに対応するレールとの間に、各スライドを前記付勢力に抗して任意の位置にロックし得るロック機構が設けられ、
そのロック機構は、スクリーン先端部に前記付勢力と対抗する操作入力が作用した状態では自動的にロック解除されてスクリーンの引出し又は巻き戻し操作を可能とし、またスクリーン先端部に前記操作入力が作用していない状態では前記付勢力により自動的にロック状態となってスクリーンを任意の引出し位置に保持可能であることを特徴とする、遮光装置。
【請求項２】
窓から入る光を遮るスクリーンと、窓の周辺に固定されてスクリーンを任意に引出し或いは巻き戻し可能に巻装したスクリーン巻取り器と、そのスクリーン巻取り器から引き出されたスクリーンを両側から保持しながら、所定の展開状態になるまで案内できるように窓の両側に配置される一対のレールとを備えてなる遮光装置であって、
スクリーン巻取り器には、スクリーンに対し常に巻き戻し方向の付勢力を付与する付勢手段が付設されるものにおいて、
前記スクリーンの先端部両側には、前記一対のレールにそれぞれ摺動、案内される一対のスライドが保持されると共に、その各スライドとこれに対応するレールとの間に、各スライドを前記付勢力に抗して任意の位置にロックし得るロック機構が設けられ、
前記ロック機構は、前記レールにその長手方向に沿って設けた平坦面と、この平坦面に空隙を介して対面するよう前記スライドに設けられて、スクリーンの引出し方向後側から前側に向かうにつれて前記平坦面に漸次近づく傾斜面と、それら平坦面及び傾斜面間の空隙に収容されて、前記レールの長手方向に沿う所定の制限された移動範囲内を移動し得るローラとを備えていて、そのローラが前記付勢力を受けて前記傾斜面及び平坦面間に食い込む楔作用によりスクリーンを任意の引出し位置に保持可能なロック状態となり、またスクリーン先端部に前記付勢力と対抗する操作入力が作用したときには、前記ローラの前記楔作用が消滅することでスクリーンの任意の引出し又は巻き戻し操作を可能とするアンロック状態となることを特徴とする、遮光装置。
【請求項３】
窓から入る光を遮るスクリーンと、窓の周辺に固定されてスクリーンを任意に引出し或いは巻き戻し可能に巻装したスクリーン巻取り器と、そのスクリーン巻取り器から引き出されたスクリーンを両側から保持しながら、所定の展開状態になるまで案内できるように窓の両側に配置される一対のレールとを備えてなる遮光装置であって、
スクリーン巻取り器には、スクリーンに対し常に巻き戻し方向の付勢力を付与する付勢手段が付設されるものにおいて、
前記スクリーンの先端部両側には、前記一対のレールにそれぞれ摺動、案内される一対のスライドが保持され、
各スライドとこれに対応するレールとにそれぞれ前記案内時に相互に摺動する摺動面があり、
前記レールの摺動面は、スクリーンの引き出される方向に沿って連続的に延伸している平坦面を有し、
前記スライドの摺動面は、前記レールの平坦面に空隙を介して対面すると共にスクリーンの引出し方向後側から前側に向かうにつれて前記平坦面に漸次近づく傾斜面を有し、該傾斜面と前記平坦面との間に、スクリーンの引出し方向後端側に大開口があり且つ同方向前端側に小開口があるスペースが形成されており、
そのスペース内には、直径が前記大開口より小で且つ前記小開口より大であって前記レールの長手方向に沿って移動可能なローラが、該スペースから脱出できないように配置されており、
それにより、前記スクリーンがどこに引き出されても、前記スライドは前記スクリーン巻取り器の巻戻し作用により一旦退いてから、前記ローラの、前記傾斜面と前記平坦面間に働く楔作用によってそこに留まることができることを特徴とする遮光装置。
【請求項４】
前記レールの摺動面は、前記平坦面と平行している第２の平坦面を有し、また、前記スライドの摺動面は、前記第２の平坦面に案内されてそれに円滑に摺動する第３の平坦面を有することを特徴とする請求項３に記載の遮光装置。
【請求項５】
前記スライドの傾斜面には、回復可能に変形できる弾性パッドが敷設されていることを特徴とする請求項２〜請求項４の何れか１項に記載の遮光装置。
【発明の詳細な説明】
【技術分野】
【０００１】
本発明は、遮光装置に関し、特に自動車のサンルーフまたは他の窓ガラスからの入射光を内側から遮るのに好適な遮光装置に関する。
【背景技術】
【０００２】
従来の遮光装置は、主として、スクリーンがそれから引き出されたり又は自動的にそれに巻き戻されたりすることができるスクリーン巻取り器からなっている。
【０００３】
このような遮光装置は、スクリーンが引き出されて固定されると、入射光を遮ることができるが、前記固定をする手段が、通常、サンルーフや窓ガラスの、スクリーンが完全に引き出されれば至れる遠端側に取り付けられているので、スクリーンが、サンルーフや窓ガラスの随所ではなく、完全に展開されてサンルーフや窓ガラスを全面的に遮る位置にしか固定され得ず、即ち日光の度合いをみて遮光の程度を自由に調整できなく、使用に不便である。
【０００４】
前記不都合に鑑みて下記考案が台湾に提案されて登録された（特許文献１）。この考案の遮光装置は、スクリーンの固定手段を前記のように遠端側に固定的に取り付けるのではなく、前記スクリーン巻取り器における巻取り手段と巻戻し手段と合併して構成したのであり、即ち、図８及び図９に示すように、まず、サンルーフや窓ガラスの、スクリーン８１がその展開方向の両側から一対のレール９、９に保持・案内されながら完全に引き出されれば至れる遠端側に、第１のロープ巻取り輪８２を取り付け、そして、スクリーン巻取り器８の回転軸８０に、スクリーン８１を巻き取っているスクリーン巻取り軸８３と第２のロープ巻取り輪８４とを回転自在に取り付ける上、従来の巻き戻し手段にあたる巻きバネ８５を介して第２のロープ巻取り輪８４と連結した連結台８６でスクリーン巻取り軸８３を回転軸８０に連動可能に連結し、最後に、調整ロープ８７の一端を第２のロープ巻取り輪８４に固定してから巻いた後、他端をレール９のロープ案内通路９１を貫通して第１のロープ巻取り輪８２を曲がってから戻るように引き伸ばし、スクリーン８１の先端部８１１に固定してなる。
【０００５】
このような遮光装置では、スクリーン８１が展開方向に引き出されると、スクリーン巻取り軸８３はスクリーン８１の引き出されることに従って回転する上、連結台８６を介して回転軸８０を、また、連結台８０と巻きバネ８５とを介して第２のロープ巻取り輪８４をも共に回転させることができるので、第２のロープ巻取り輪８４で調整ロープ８７を巻き取ることができるが、巻きバネ８５に捩れが生じなく、スクリーン巻取り軸８３に反転付勢力を与えず、引き出されたスクリーン８１がどこに至っても、巻きバネ８５から引戻し力や引出し力なんかを受けず、そこに安定的に留まることができる。また、スクリーン８１が収束方向に押し戻されると、第２のロープ巻取り輪８４は調整ロープ８７の引き出されることに従って反転する上、巻きバネ８５を介して連結台８６、そして回転軸８０を介してスクリーン巻取り軸８３を共に反転させることができるので、第２のロープ巻取り輪８４で調整ロープ８７を巻き取ることができる上、巻きバネ８５に捩れが生じなく、スクリーン巻取り軸８３に正転付勢力を与えず、押し戻されたスクリーン８１がどこに至っても、巻きバネ８５から引戻し力や引出し力なんかを受けず、そこに安定的に留まることができる。即ち、この先行技術の遮光装置では、スクリーンを、サンルーフや窓ガラスの随所に展開してから安定に保持することができる。
【０００６】
しかし、この先行技術の遮光装置は、第１のロープ巻取り輪８２と第２のロープ巻取り輪８４との間の調整ロープ８７で、回転軸８０とスクリーン巻取り軸８３と第２のロープ巻取り輪８４とを共に正反転させ、スクリーン８１をどこにあっても巻きバネ８５から引戻し力や引出し力を受けないようにさせるが、構造が複雑である上、調整ロープ８７の緩みや脱線による障害も時々あってまだまだ実用上問題がないとは言えない。
【特許文献１】台湾実用新案登録Ｍ２５７２８８号公報
【発明の開示】
【発明が解決しようとする課題】
【０００７】
前記欠点を解消するために、本願発明人は、研究に研究を重ねた結果、本願発明を完成した。
【０００８】
即ち、本発明は、調整ロープのない簡単な構造であるにも拘わらず、そのスクリーンが随所の引出し位置に止まることができる遮光装置を提供することを目的とする。
【課題を解決するための手段】
【０００９】
前記目的を達成するために、請求項１の発明は、窓から入る光を遮るスクリーンと、窓の周辺に固定されてスクリーンを任意に引出し或いは巻き戻し可能に巻装したスクリーン巻取り器と、そのスクリーン巻取り器から引き出されたスクリーンを両側から保持しながら、所定の展開状態になるまで案内できるように窓の両側に配置される一対のレールとを備えてなる遮光装置であって、スクリーン巻取り器には、スクリーンに対し常に巻き戻し方向の付勢力を付与する付勢手段が付設されるものにおいて、前記スクリーンの先端部両側には、前記一対のレールにそれぞれ摺動、案内される一対のスライドが保持されると共に、その各スライドとこれに対応するレールとの間に、各スライドを前記付勢力に抗して任意の位置にロックし得るロック機構が設けられ、そのロック機構は、スクリーン先端部に前記付勢力と対抗する操作入力が作用した状態では自動的にロック解除されてスクリーンの引出し又は巻き戻し操作を可能とし、またスクリーン先端部に前記操作入力が作用していない状態では前記付勢力により自動的にロック状態となってスクリーンを任意の引出し位置に保持可能であることを特徴とする。
【００１０】
また請求項２は、窓から入る光を遮るスクリーンと、窓の周辺に固定されてスクリーンを任意に引出し或いは巻き戻し可能に巻装したスクリーン巻取り器と、そのスクリーン巻取り器から引き出されたスクリーンを両側から保持しながら、所定の展開状態になるまで案内できるように窓の両側に配置される一対のレールとを備えてなる遮光装置であって、スクリーン巻取り器には、スクリーンに対し常に巻き戻し方向の付勢力を付与する付勢手段が付設されるものにおいて、前記スクリーンの先端部両側には、前記一対のレールにそれぞれ摺動、案内される一対のスライドが保持されると共に、その各スライドとこれに対応するレールとの間に、各スライドを前記付勢力に抗して任意の位置にロックし得るロック機構が設けられ、前記ロック機構は、前記レールにその長手方向に沿って設けた平坦面と、この平坦面に空隙を介して対面するよう前記スライドに設けられて、スクリーンの引出し方向後側から前側に向かうにつれて前記平坦面に漸次近づく傾斜面と、それら平坦面及び傾斜面間の空隙に収容されて、前記レールの長手方向に沿う所定の制限された移動範囲内を移動し得るローラとを備えていて、そのローラが前記付勢力を受けて前記傾斜面及び平坦面間に食い込む楔作用によりスクリーンを任意の引出し位置に保持可能なロック状態となり、またスクリーン先端部に前記付勢力と対抗する操作入力が作用したときには、前記ローラの前記楔作用が消滅することでスクリーンの任意の引出し又は巻き戻し操作を可能とするアンロック状態となることを特徴とする。
【００１１】
さらに請求項３の発明は、窓から入る光を遮るスクリーンと、窓の周辺に固定されてスクリーンを任意に引出し或いは巻き戻し可能に巻装したスクリーン巻取り器と、そのスクリーン巻取り器から引き出されたスクリーンを両側から保持しながら、所定の展開状態になるまで案内できるように窓の両側に配置される一対のレールとを備えてなる遮光装置であって、スクリーン巻取り器には、スクリーンに対し常に巻き戻し方向の付勢力を付与する付勢手段が付設されるものにおいて、前記スクリーンの先端部両側には、前記一対のレールにそれぞれ摺動、案内される一対のスライドが保持され、各スライドとこれに対応するレールとにそれぞれ前記案内時に相互に摺動する摺動面があり、前記レールの摺動面は、スクリーンの引き出される方向に沿って連続的に延伸している平坦面を有し、前記スライドの摺動面は、前記レールの平坦面に空隙を介して対面すると共にスクリーンの引出し方向後側から前側に向かうにつれて前記平坦面に漸次近づく傾斜面を有し、該傾斜面と前記平坦面との間に、スクリーンの引出し方向後端側に大開口があり且つ同方向前端側に小開口があるスペースが形成されており、そのスペース内には、直径が前記大開口より小で且つ前記小開口より大であって前記レールの長手方向に沿って移動可能なローラが、該スペースから脱出できないように配置されており、それにより、前記スクリーンがどこに引き出されても、前記スライドは前記スクリーン巻取り器の巻戻し作用により一旦退いてから、前記ローラの、前記傾斜面と前記平坦面間に働く楔作用によってそこに留まることができることを特徴とし、さらにまた請求項４の発明は、請求項３の発明の前記特徴に加えて、前記レールの摺動面が、前記平坦面と平行している第２の平坦面を有し、また、前記スライドの摺動面が、前記第２の平坦面に案内されてそれに円滑に摺動する第３の平坦面を有することを特徴とし、さらにまた請求項５の発明は、請求項２〜４の何れかの発明の前記特徴に加えて、前記スライドの傾斜面には、回復可能に変形できる弾性パッドが敷設されていることを特徴とする。
【発明の効果】
【００１２】
請求項１〜３の各発明によれば、調整ロープのない簡単な構造であるにも拘わらず、そのスクリーンがどこに引き出されても、随所の引出し位置に止まることができるようにしたので、スクリーンはレールに摺動、案内されつつ、随所の引出し位置まで自由に展開されて、日光入射の度合いを調整することができる。
【００１３】
また特に請求項２，３の発明によれば、スクリーンのスライドとレールとの摺動部に、ローラの楔作用を利用した構造簡単なロック手段を設けるだけで、スクリーンを随所の引出し位置に簡単的確に保持できるため、コスト節減や装置の信頼性向上に寄与することができる。
【００１４】
また特に請求項４の発明によれば、スライドとレールとの摺動はより円滑になる効果がある。
【００１５】
また特に請求項５の発明によれば、傾斜面に敷設した弾性パッドの回復可能な弾性変形により、ローラを、スライド傾斜面とレール平坦面間へ十分な緊迫力を以てより深く且つ確実に食い込ませることができて、該ローラの楔作用をより的確に行なわせることができる。
【発明を実施するための最良の形態】
【００１６】
以下に添付図面を参照しながら、本発明に係る遮光装置の好適な実施形態例について詳細に説明する。
【００１７】
図１は、前記実施形態例の遮光装置を示す斜視図である。図２は、前記遮光装置の断面図である。図３は、前記遮光装置が適用される例を示す模式図である。図４は、前記遮光装置におけるスライドとレールの一部を省略して示す分解斜視図である。
【００１８】
本実施形態例において、遮光装置１は、図３に示すように自動車のサンルーフＳの、窓としての開口部の周辺に取り付けられているが、自動車又は自動車以外の窓ガラスからの入射光を内側から遮るように取り付けられてもよい。
【００１９】
図１と図２に示すように、遮光装置１は、サンルーフＳの、窓としての開口部から入る光を遮るスクリーン１１１と、サンルーフＳの開口部周辺に固定されてスクリーン１１１を任意に引出し或いは巻き戻し可能に巻装したスクリーン巻取り器１１と、そのスクリーン巻取り器１１から引き出されたスクリーン１１１を両側から保持しながら、所定の展開状態になるまで案内できるようにサンルーフＳの両側に配置される一対のレール１２，１２と、一対のスライド１３，１３とからなっている。
【００２０】
スクリーン巻取り器１１は、スクリーン１１１がそれから引き出されたり自動的にそれに巻き戻されたりすることができるように、対向して設けられたブラケット１１２，１１２の間に巻取り器本体が保持・装着されている。即ち、スクリーン巻取り器１１には、スクリーン１１１に対し常に巻き戻し方向の付勢力を付与する従来周知の付勢手段が付設される。
【００２１】
２個のスライド１３，１３は、スクリーン１１１の先端近くの両側にそれぞれ固着されて一対のレール１２，１２における対応のレール１２に案内されて摺動することができるように該レール１２，１２に保持されている。
【００２２】
図４に示すように、スライド１３とこれに対応するレール１２には、それぞれ前記案内時に相互に摺動する摺動面１３０，１２０が設けられている。
【００２３】
図示のように、レール１２の摺動面１２０には、第１の平坦面１２１と第２の平坦面１２２との２つの平坦面を有しており、それら平坦面１２１，１２２は、高度差が少々あるが、左右互いに平行する上、それぞれスクリーン１１１の引き出される方向に沿って直線状に連続的に延伸している。この２つの平坦面１２１，１２２は、いずれも、それらの両側に延在している塀部ａ，ｂまたはｂ，ｃに挟まれている。
【００２４】
スライド１３の摺動面１３０には、傾斜面１３１と第３の平坦面１３２とを有する。傾斜面１３１は、レール１２の第１の平坦面１２１に対面すると共にスクリーン１１１の引出し方向後側から前側（図５で左側から右側）に向かうにつれて前記第１の平坦面１２１に漸次近づくような傾斜面であって、該平坦面１２１に対し、スクリーン１１１の引き出される方向にある近端１３１Ａが遠端１３１Ｂより隔たっている。
【００２５】
図示のように、塀部ａ，ｂの間における傾斜面１３１と平坦面１２１との間には、スクリーンの引出し方向後端側の近端１３１Ａに大開口があり且つ同方向前端側の遠端１３１Ｂに小開口があるスペース１３７が形成されている。そして、図示のように、スライド１３に、近端１３１Ａの大開口の外から該大開口を若干遮蔽した止めブロック１３８が形成してある。また、該傾斜面１３１には、パッド１３４が敷設されている。このパッド１３４としては、ゴム製、或いはシリコーンゴム製のものを使用可能であるが、パッド材料はそれらに限定されず、回復可能に変形できるもの、即ち弾性のあるものであれば他の材料で構成されてもよい。平坦面１３２は、スライド１３の側面から突出した段部１３３にある。この段部１３３は、第２の平坦面１２２の両側に延在している塀部ｂ，ｃに左右から係止されているが、該塀部ｂ，ｃに案内されて移動しながらその前記平坦面１３２が第２の平坦面１２２に円滑に摺動できるようになっている。
【００２６】
そして、スペース１３７内に、直径が前記大開口より小であり且つ小開口より大であり、また、該スペース１３７の所定箇所がその移動の隘路になるローラ１３５が、傾斜面１３１と、平坦面１２１と、塀部ａ，ｂと、止めブロック１３８と、前記スペース１３７内になる隘路とに制限されて該スペース１３７から脱出できないように介在しており、該スペース１３７内において、レール１２の長手方向に沿う所定の制限された移動範囲内を移動可能である。
【００２７】
図５〜図７は、前記遮光装置の部分断面図でスライドの動作状態を示すものである。
【００２８】
遮光装置１では、前記構成により、使用者がスクリーン１１１の先端部を摘むことでスクリーン１１１が展開方向に引き出されると、スライド１３は、ローラ１３５の、図５に示す停止位置から図６に示すように傾斜面１３１の近端１３１Ａの方に近づくことによって、引出し方向に容易に押動されるようになる。そして、使用者がスクリーン１１１の引き出し操作を中止したら、スクリーン１１１がどこに引き出されても、スライド１３は、スクリーン巻取り器１１の巻戻し作用により一旦退いてから、忽ちローラ１３５の、スライド１３の傾斜面１３１とレール１２の平坦面１２１との間になる隘路にかかることによって（即ち傾斜面１３１と平坦面１２１間にローラ１３５が食い込む楔作用により）そこに留まることができる（図５に示す停止位置に戻す）。この場合、パッド１３４の配置により、スライド１３の傾斜面１３１とレール１２の平坦面１２１との間になる隘路をそれにかかるローラ１３５に緊迫に挟ませることができる。
【００２９】
その一方、スクリーン１１１が収束方向に押されると、スライド１３は、ローラ１３５の、図５に示す停止位置から図７に示すように傾斜面１３１の遠端１３１Ｂの方に近づきながら隘路に強制的に入って摩擦力が増大することによって、割合に大きな力がなければ動けないので、押力が中止したら、スクリーン巻取り器１１の巻戻し作用だけによっては更に動けず、そこに留まることができる。
【００３０】
つまり、本実施形態例において、スクリーン１１１を引き出す時に必要な力と、スクリーン１１１を押し戻す時に必要な力とは、差があるが、両方とも、中止するとスクリーン１１１がそこに留まることができ、固定手段の必要がない。
【００３１】
また、使用者がスクリーン１１１の先端部を摘んで一旦、引出し方向に若干引いてから巻取り方向に徐々に移動させると、そのときもスライド１３は、ローラ１３５の、図５に示す停止位置から図６に示すように傾斜面１３１の近端１３１Ａの方に近づくことによって、巻き戻し側に容易に押動されるようになる。そして、使用者がスクリーン１１１の巻き戻し操作を中止したら、スクリーン１１１がどこに巻き戻されても、ローラ１３５の前記と同様の楔作用で、スクリーン１１１はその位置に留まることができる。
【００３２】
このように本実施例では、各スライド１３とこれに対応するレール１２との間に、各スライド１３をスクリーン巻取り器１１の巻き戻し方向の付勢力に抗して任意の位置にロックし得るロック機構Ｌが設けられる。そして、このロック機構Ｌは、レール１２にその長手方向に沿って設けた平坦面１２１と、この平坦面１２１に空隙（スペース１３７）を介して対面するようスライド１３に設けられて、スクリーン１１１の引出し方向後側から前側に向かうにつれて前記平坦面１２１に漸次近づく傾斜面１３１と、それら平坦面１２１及び傾斜面１３１間のスペース１３７に収容されて、レール１２の長手方向に沿う所定の制限された移動範囲内を移動し得るローラ１３５とを備えていて、そのローラ１３５が前記付勢力を受けて前記傾斜面１３１及び平坦面１２１間に食い込む楔作用によりスクリーン１１１を任意の引出し位置に保持可能なロック状態となり、またスクリーン１１１の先端部に前記付勢力と対抗する操作入力が作用したときには、ローラ１３７の前記楔作用が消滅することでスクリーン１１１の任意の引出し又は巻き戻し操作を可能とするアンロック状態となる。即ち、前記ロック機構Ｌは、スクリーン１１１の先端部に前記付勢力と対抗する操作入力が使用者から加わった状態では自動的にロック解除されてスクリーン１１１の引出し又は巻き戻し操作を可能とし、またスクリーン１１１の先端部に前記操作入力が作用していない状態では前記付勢力により自動的にロック状態となってスクリーン１１１を任意の引出し位置に保持可能となっている。
【００３３】
以上、本発明の好適な実施形態例について説明したが、本発明は該実施形態例に限定されない。即ち、本発明は前記実施形態例に限定して狭義に解釈されるものではなく、本発明の思想の範囲内において種々の変形や変更が可能である。
【図面の簡単な説明】
【００３４】
【図１】本発明に係る遮光装置の好適な実施形態例を示す斜視図
【図２】前記遮光装置の断面図
【図３】前記遮光装置が適用される例を示す模式図
【図４】前記遮光装置におけるスライドとレールの一部を省略して示す分解斜視図
【図５】前記遮光装置の部分断面図でスライドの動作状態を示すもの
【図６】前記遮光装置の部分断面図でスライドの動作状態を示すもの
【図７】前記遮光装置の部分断面図でスライドの動作状態を示すもの
【図８】従来の遮光装置の一例を示す斜視図
【図９】前記従来の遮光装置の断面図
【符号の説明】
【００３５】
１１・・・スクリーン巻取り器
１１１・・スクリーン
１１２・・ブラケット
１２・・・レール
１２０・・摺動面
１２１・・第１の平坦面
１２２・・第２の平坦面
１３  ・・スライド
１３０・・摺動面
１３１・・傾斜面
１３１Ａ・・近端
１３１Ｂ・・遠端
１３２・・第３の平坦面
１３３・・段部
１３４・・パッド
１３５・・ローラ
１３７・・スペース
１３８・・止めブロック
ａ，ｂ，ｃ・・塀部
Ｌ・・・・ロック機構
Ｓ・・・・サンルーフ
【図１】
2009280043.tif 000003
【図２】
2009280043.tif 000004
【図３】
2009280043.tif 000005
【図４】
2009280043.tif 000006
【図５】
2009280043.tif 000007
【図６】
2009280043.tif 000008
【図７】
2009280043.tif 000009
【図８】
2009280043.tif 000010
【図９】
2009280043.tif 000011